(57)【特許請求の範囲】
【請求項１】
静電結合により外部装置との間でデータ通信を行なうための送受信プレートと、予め所定のデータが格納された記憶部を有し、上記送受信プレートを介して外部装置との間で上記記憶部に格納されたデータを用いた所定のデータ通信を行ない、必要に応じて通信結果を上記記憶部に格納する制御手段と、電磁結合により外部装置から電源供給を受ける受電コイルを有し、該受電コイルに誘起された電圧により上記制御手段に電源供給を行なう電源回路と、
を内蔵した非接触型ＩＣカードとの間でデータ通信を行ない、該非接触型ＩＣカードに記憶されたデータの読取り或は該非接触型ＩＣカードへのデータの書込みを行なう非接触型ＩＣカードのリード／ライト装置であって、
上記非接触型ＩＣカードの少なくとも上記送受信プレート及び受電コイルが形成された部分を当接するために、当該装置の外壁の一部として形成されたカード当接面と、
該カード当接面の所定の位置に上記非接触型ＩＣカードを位置決めするために、該カード当接面周囲に形成されたガイド部と、
上記カード当接面の、上記非接触型ＩＣカードの送受信プレート及び受電コイルとの対向位置にそれぞれ配設された送受信プレート及び給電コイルと、
該給電コイルに交番電流を流して上記カード当接面に当接された非接触型ＩＣカードに電源供給を行なうと共に、上記送受信プレートを介して、該非接触型ＩＣカードとの間でデータ通信を行なう制御手段と、
を備え、
しかも、上記制御手段が、
上記給電コイルに所定時間毎に一定時間交番電流を流す給電手段と、
上記送受信プレートを介して上記非接触型ＩＣカードが動作開始直後に発生する起動時データを受信したときに、上記非接触型ＩＣカードが当該装置に装着されたことを検出するカード検出手段と、
該カード検出手段にて上記非接触型ＩＣカードが当該装置に装着されたことが検出されると、上記給電手段の給電動作を、上記給電コイルに常時交番電流を流す連続給電動作に切り替え、上記非接触型ＩＣカードへの給電を継続させる給電動作切替手段と、
上記カード検出手段にて上記非接触型ＩＣカードが当該装置に装着されたことが検出されると、上記非接触型ＩＣカードとの間で所定のデータ通信を行なう通信手段と、
該通信手段によるデータ通信完了後、所定時間経過した後、上記給電手段の給電動作を、上記連続給電動作から、上記給電コイルに所定間隔で一定時間交番電流を流す通常給電動作に切り替える給電動作復帰手段と、
を備えたことを特徴とする非接触型ＩＣカードのリード／ライト装置。
【請求項２】
静電結合により外部装置との間でデータ通信を行なうための送受信プレートと、予め所定のデータが格納された記憶部を有し、上記送受信プレートを介して外部装置との間で上記記憶部に格納されたデータを用いた所定のデータ通信を行ない、必要に応じて通信結果を上記記憶部に格納する制御手段と、電磁結合により外部装置から電源供給を受ける受電コイルを有し、該受電コイルに誘起された電圧により上記制御手段に電源供給を行なう電源回路と、
を内蔵した非接触型ＩＣカードとの間でデータ通信を行ない、該非接触型ＩＣカードに記憶されたデータの読取り或は該非接触型ＩＣカードへのデータの書込みを行なう非接触型ＩＣカードのリード／ライト装置であって、
上記非接触型ＩＣカードの少なくとも上記送受信プレート及び上記受電コイルが形成された部分を当該装置の内部に挿入するためのカード挿入口と、
該カード挿入口から挿入された上記非接触型ＩＣカードの送受信プレート及び受電コイルと対向する所定の位置にそれぞれ配設された送受信プレート及び給電コイルと、
該給電コイルに交番電流を流して、上記カード挿入口に挿入された非接触型ＩＣカードに電源供給を行なうと共に、上記送受信プレートを介して該非接触型ＩＣカードとの間でデータ通信を行なう制御手段と、
を備え、上記カード挿入口の下方に、該カード挿入口から当該装置の外壁に至る切欠きが形成され、
しかも、上記制御手段が、
上記給電コイルに所定時間毎に一定時間交番電流を流す給電手段と、
上記送受信プレートを介して上記非接触型ＩＣカードが動作開始直後に発生する起動時データを受信したときに、上記非接触型ＩＣカードが当該装置に装着されたことを検出するカード検出手段と、
該カード検出手段にて上記非接触型ＩＣカードが当該装置に装着されたことが検出されると、上記給電手段の給電動作を、上記給電コイルに常時交番電流を流す連続給電動作に切り替え、上記非接触型ＩＣカードへの給電を継続させる給電動作切替手段と、
上記カード検出手段にて上記非接触型ＩＣカードが当該装置に装着されたことが検出されると、上記非接触型ＩＣカードとの間で所定のデータ通信を行なう通信手段と、
該通信手段によるデータ通信完了後、所定時間経過した後、上記給電手段の給電動作を、上記連続給電動作から、上記給電コイルに所定間隔で一定時間交番電流を流す通常給電動作に切り替える給電動作復帰手段と、
を備えたことを特徴とする非接触型ＩＣカードのリード／ライト装置。
【請求項３】
請求項１又は請求項２に記載の非接触型ＩＣカードのリード／ライト装置において、
上記給電動作復帰手段が、上記通信手段によるデータ通信完了後、上記非接触型ＩＣカードに対して所定の呼出信号を送信し、該送信に対する応答信号が受信されなくなってから、上記給電手段の給電動作を上記通常給電に切り替えること、を特徴とする非接触型ＩＣカードのリード／ライト装置。
【発明の詳細な説明】
【０００１】
【産業上の利用分野】
本発明は、非接触型ＩＣカードからのデータの読取り、或は非接触型ＩＣカードへのデータの書込みを行なう、非接触型ＩＣカードのリード／ライト装置に関する。
【０００２】
【従来の技術】
従来より、所定のデータを保持し、所定のデータ通信によりデータの読取り及びデータの書込みが可能なＩＣカードの一つとして、データ通信用の送受信プレートと、電源供給用の受電コイルとを備えた非接触型ＩＣカード（以下、コンタクトレスＩＣカードともいう。）が知られている。
【０００３】
そして、このコンタクトレスＩＣカードは、受電コイルとの対向位置に配設された給電コイルとの電磁結合により電源供給を行なうことができ、また送受信プレートとの対向位置に配設された送受信プレートとの静電結合によりデータ通信を行なうことができるため、データ通信及び給電のための電気的接点を設ける必要がなく、静電気による内部回路の破壊、ゴミや水の付着に伴う接触不良、といった電気的接点を有するＩＣカードが有する各種問題を解決できる。このため、こうしたコンタクトレスＩＣカードによれば、ＩＣカードの信頼性を非常に高めることができる。
【０００４】
ところで、こうしたコンタクトレスＩＣカードからデータを読取ったり、データを書込んだりするリード／ライト装置は、通常、コンタクトレスＩＣカードを差し込むための挿入口を有し、その挿入口に差し込まれたコンタクトレスＩＣカードをそのまま、或は搬送ローラ等の所定の搬送手段で更に装置内部に取り込んだ後、データの読取り或は書込みを行なうように構成されていた。
【０００５】
【発明が解決しようとする課題】
このため、従来のリード／ライト装置においては、挿入口にたまったほこりや水等が装置内部に入り込み、データの読み書きが正常に実行できなくなったり、挿入口にガム等の異物が押し込まれて、挿入口にコンタクトレスＩＣカードを挿入できなくなったりすることがあった。
【０００６】
そして、特に、挿入口に挿入されたコンタクトレスＩＣカードをローラ等の搬送手段を介して装置内部に取り込むように構成されたリード／ライト装置にあっては、コンタクトレスＩＣカードの搬送のための機構部品が挿入口にたまったほこりや水等によって動作しなくなり、一旦装置内に取り込んだコンタクトレスＩＣカードを排出できなくなるといった問題もある。
【０００７】
また、こうしたリード／ライト装置においては、コンタクトレスＩＣカードが挿入口に差し込まれたときにデータ通信等の各種動作を開始する必要があるため、挿入口に光センサやマイクロスイッチ等の検出手段を設けて、挿入口にコンタクトレスＩＣカードが差し込まれたことを検出できるようにしているが、このように挿入口に設けられた検出手段が、挿入口にたまったほこりや水等によって誤動作し、データの読み書きを正常に実行することができなくなる、といった問題もある。
【０００８】
本発明は、こうした問題に鑑みなされたもので、コンタクトレスＩＣカードからのデータの読取り、或はコンタクトレスＩＣカードへのデータの書込みを行なうリード／ライト装置において、コンタクトレスＩＣカードを装着する装着部分にほこりや水がたまるのを防止し、外部環境に影響されずにデータの読み書きを常に良好に実行できるようにすることを目的としている。
【０００９】
【課題を解決するための手段】
かかる目的を達成するためになされた請求項１に記載の発明は、
静電結合により外部装置との間でデータ通信を行なうための送受信プレートと、予め所定のデータが格納された記憶部を有し、上記送受信プレートを介して外部装置との間で上記記憶部に格納されたデータを用いた所定のデータ通信を行ない、必要に応じて通信結果を上記記憶部に格納する制御手段と、電磁結合により外部装置から電源供給を受ける受電コイルを有し、該受電コイルに誘起された電圧により上記制御手段に電源供給を行なう電源回路と、
を内蔵した非接触型ＩＣカードとの間でデータ通信を行ない、該非接触型ＩＣカードに記憶されたデータの読取り或は該非接触型ＩＣカードへのデータの書込みを行なう非接触型ＩＣカードのリード／ライト装置であって、
上記非接触型ＩＣカードの少なくとも上記送受信プレート及び受電コイルが形成された部分を当接するために、当該装置の外壁の一部として形成されたカード当接面と、
該カード当接面の所定の位置に上記非接触型ＩＣカードを位置決めするために、該カード当接面周囲に形成されたガイド部と、
上記カード当接面の、上記非接触型ＩＣカードの送受信プレート及び受電コイルとの対向位置にそれぞれ配設された送受信プレート及び給電コイルと、
該給電コイルに交番電流を流して上記カード当接面に当接された非接触型ＩＣカードに電源供給を行なうと共に、上記送受信プレートを介して、該非接触型ＩＣカードとの間でデータ通信を行なう制御手段と、
を備え、
しかも、上記制御手段が、
上記給電コイルに所定時間毎に一定時間交番電流を流す給電手段と、
上記送受信プレートを介して上記非接触型ＩＣカードが動作開始直後に発生する起動時データを受信したときに、上記非接触型ＩＣカードが当該装置に装着されたことを検出するカード検出手段と、
該カード検出手段にて上記非接触型ＩＣカードが当該装置に装着されたことが検出されると、上記給電手段の給電動作を、上記給電コイルに常時交番電流を流す連続給電動作に切り替え、上記非接触型ＩＣカードへの給電を継続させる給電動作切替手段と、
上記カード検出手段にて上記非接触型ＩＣカードが当該装置に装着されたことが検出されると、上記非接触型ＩＣカードとの間で所定のデータ通信を行なう通信手段と、
該通信手段によるデータ通信完了後、所定時間経過した後、上記給電手段の給電動作を、上記連続給電動作から、上記給電コイルに所定間隔で一定時間交番電流を流す通常給電動作に切り替える給電動作復帰手段と、
を備えたことを特徴としている。
【００１０】
また請求項２に記載の発明は、
上記非接触型ＩＣカードとの間でデータ通信を行ない、該非接触型ＩＣカードに記憶されたデータの読取り或は該非接触型ＩＣカードへのデータの書込みを行なう非接触型ＩＣカードのリード／ライト装置であって、
上記非接触型ＩＣカードの少なくとも上記送受信プレート及び上記受電コイルが形成された部分を当該装置の内部に挿入するためのカード挿入口と、
該カード挿入口から挿入された上記非接触型ＩＣカードの送受信プレート及び受電コイルと対向する所定の位置にそれぞれ配設された送受信プレート及び給電コイルと、
該給電コイルに交番電流を流して、上記カード挿入口に挿入された非接触型ＩＣカードに電源供給を行なうと共に、上記送受信プレートを介して該非接触型ＩＣカードとの間でデータ通信を行なう制御手段と、
を備え、上記カード挿入口の下方に、該カード挿入口から当該装置の外壁に至る切欠きが形成され、
しかも、上記制御手段が、
上記給電コイルに所定時間毎に一定時間交番電流を流す給電手段と、
上記送受信プレートを介して上記非接触型ＩＣカードが動作開始直後に発生する起動時データを受信したときに、上記非接触型ＩＣカードが当該装置に装着されたことを検出するカード検出手段と、
該カード検出手段にて上記非接触型ＩＣカードが当該装置に装着されたことが検出されると、上記給電手段の給電動作を、上記給電コイルに常時交番電流を流す連続給電動作に切り替え、上記非接触型ＩＣカードへの給電を継続させる給電動作切替手段と、
上記カード検出手段にて上記非接触型ＩＣカードが当該装置に装着されたことが検出されると、上記非接触型ＩＣカードとの間で所定のデータ通信を行なう通信手段と、
該通信手段によるデータ通信完了後、所定時間経過した後、上記給電手段の給電動作を、上記連続給電動作から、上記給電コイルに所定間隔で一定時間交番電流を流す通常給電動作に切り替える給電動作復帰手段と、
を備えたことを特徴としている。
【００１３】
また更に、請求項３に記載の発明は、上記請求項１又は請求項２に記載の非接触型ＩＣカードのリード／ライト装置において、
上記給電動作復帰手段が、上記通信手段によるデータ通信完了後、上記非接触型ＩＣカードに対して所定の呼出信号を送信し、該送信に対する応答信号が受信されなくなってから、上記給電手段の給電動作を上記通常給電に切り替えること、を特徴としている。
【００１４】
【作用及び発明の効果】
上記のように請求項１に記載の非接触型ＩＣカードのリード／ライト装置においては、外壁の一部が、非接触型ＩＣカードの少なくとも送受信プレート及び受電コイルが形成された部分を当接するためのカード当接面となっており、このカード当接面周囲には、非接触型ＩＣカードを位置決めするためのガイド部が形成されている。
【００１５】
そして、カード当接面の、非接触型ＩＣカードの送受信プレート及び受電コイルとの対向位置には、それぞれ、送受信プレート及び給電コイルが配設されており、制御手段が、給電コイルに交番電流を流してカード当接面に当接された非接触型ＩＣカードに電源供給を行なうと共に、送受信プレートを介して非接触型ＩＣカードとの間でデータ通信を行なう。
【００１６】
このため、本発明のリード／ライト装置においては、非接触型ＩＣカードを手で持ち、その周縁をガイド部に沿わせてカード当接面に当接すれば、制御手段の動作によって、非接触型ＩＣカードへのデータの読み書きが自動で実行されることになる。
【００１７】
そして、本発明のリード／ライト装置によれば、外壁の一部がカード当接面となっているだけであり、従来装置のように、非接触型ＩＣカードを挿入する挿入口やその挿入口から内部にカードを取り込むための機構部品を設ける必要がないので、ほこりや水等が装置内部に入るといったことはなく、データ通信、換言すればデータの読み書きを周囲環境に影響されずに良好に実行することができる。
【００１８】
また、たとえ、カード当接面にほこりがたまったり、ガム等の異物が付着して、データの読み書きが正常にできなくなったとしても、ほこりや異物を、装置を分解することなく簡単に除去することができるため、装置の補修作業も簡単に行なうことができる。
【００１９】
一方、請求項２に記載の非接触型ＩＣカードのリード／ライト装置においては、従来装置と同様、非接触型ＩＣカードの少なくとも送受信プレート及び受電コイルが形成された部分を当該装置の内部に挿入するためのカード挿入口を備えているが、このカード挿入口の下方には、カード挿入口から当該装置の外壁に至る切欠きが形成されている。そして、このカード挿入口から挿入された非接触型ＩＣカードの送受信プレート及び受電コイルと対向する所定の位置には送受信プレート及び給電コイルがそれぞれ配設されており、制御手段が、その給電コイルに交番電流を流して、カード挿入口に挿入された非接触型ＩＣカードに電源供給を行なうと共に、送受信プレートを介して非接触型ＩＣカードとの間でデータ通信を行なう。
【００２０】
このため、本発明のリード／ライト装置においては、従来装置と同様、非接触型ＩＣカードをカード挿入口から挿入すれば、制御手段の動作によって、非接触型ＩＣカードへのデータの読み書きが自動で実行されることになる。
そして、本発明のリード／ライト装置によれば、カード挿入口の下方に、カード挿入口から当該装置の外壁に至る切欠きが形成されているため、カード挿入口にほこりや水等がかかっても、切欠きを通ってそのまま下方に排出されるため、カード挿入口にほこりや水等がたまることがなく、カード挿入口にたまったほこりや水が装置内部に入りこむことはない。このため、例えば、装置内部に、カード挿入口から挿入された非接触型ＩＣカードを装置内部に取り込むための搬送ローラ等の搬送手段を設けたとしても、こうした搬送手段を構成する機構部品が、ほこりや水によって故障するといったことはなく、請求項１に記載の装置と同様、データの読み書きを周囲環境に影響されずに良好に行なうことができる。
【００２１】
また、たとえ、カード挿入口にガム等の異物が押し込まれても、棒材をカード挿入口に挿入して、カード挿入口の下方に設けられた切欠き側に移動させることにより、押し込まれた異物を切欠きを通して簡単に除去することができるようになり、こうした異物を、装置を分解することなく除去することができ、その補修作業も簡単に行なうことができる。
【００２２】
また更に、請求項１、２に記載の非接触型ＩＣカードのリード／ライト装置では、制御手段において、給電手段が、給電コイルに所定時間毎に一定時間交番電流を流しており、カード検出手段が、送受信プレートを介して非接触型ＩＣカードが動作開始直後に発生する起動時データを受信したときに、非接触型ＩＣカードが当該装置に装着されたことを検出する。そして、このカード検出手段にて非接触型ＩＣカードが当該装置に装着されたことが検出されると、給電動作切替手段が、給電手段の給電動作を、給電コイルに常時交番電流を流す連続給電動作に切り替えて、非接触型ＩＣカードへの給電を継続させると共に、通信手段が、非接触型ＩＣカードとの間で所定のデータ通信を行なう。また、この通信手段による所定のデータ通信が完了し、その後所定時間経過すると、給電動作復帰手段が、給電手段の給電動作を、連続給電動作から給電コイルに所定時間毎に一定時間交番電流を流す通常給電動作に切り替える。
【００２３】
つまり、非接触型ＩＣカードは、受電コイルに電圧が誘起されることによりデータ通信可能な状態となって、その内部の制御手段が通信動作を開始するため、本発明（請求項１、２）では、給電手段により、給電コイルに所定時間毎に一定時間交番電流を流すことにより、非接触型ＩＣカードが当該装置に装着されたときに給電コイルから非接触型ＩＣカードの受電コイルに電源供給を行なって、非接触型ＩＣカードの動作を開始させ、カード検出手段により、非接触型ＩＣカードが動作開始時に発生する起動時データを受信か否かを判断することによって、非接触型ＩＣカードが当該装置に装着されたか否か、つまり通信手段による所定のデータ通信を実行可能かどうかを判断するのである。
【００２７】
また、本発明（請求項１、２）のリード／ライト装置では、給電コイルに常時交番電流を流すのではなく、給電コイルに所定時間毎に一定時間（つまり周期的に）交番電流を流すことにより、非接触型ＩＣカードの非装着時に消費される電力を抑制するようにしている。
【００２８】
また、こうした給電動作を、非接触型ＩＣカードの装着検出後も行なっていると、検出後実行されるデータ通信の途中で非接触型ＩＣカードの電源が切れ、正常なデータ通信を実行できなくなるので、一旦、非接触型ＩＣカードの装着を検出すると、給電コイルの通電を連続通電に切り替えることにより、非接触型ＩＣカードに連続的に給電できるようにし、データ通信を行なうようにしている。
【００２９】
一方、消費電力低減のためには、データ通信完了後、給電動作を、連続給電動作から周期的な通常給電動作に切り替えればよいのであるが、給電動作をデータ通信完了直後に切り替えると、既にデータ通信が完了した非接触型ＩＣカードの装着を再び検出して、再度データ通信を開始してしまう虞があるので、データ通信完了後は、非接触型ＩＣカードを装置から取り外すのに要する所定時間経過後に、給電手段による給電動作を、連続給電動作から通常給電動作に切り替えるようにしている。
【００３０】
このように、本発明（請求項１、２）のリード／ライト装置によれば、非接触型ＩＣカードが当該装置に装着されたか否かを、制御手段の内部動作によって検出するようにしているため、非接触型ＩＣカードの装着の有無を、光センサやマイクロスイッチ等の特別な検出機構を設けることなく検出することができ、従来装置のように、こうした検出機構にほこりや水等がかかって、非接触型ＩＣカードの検出不良を招くことはなく、装置の信頼性を向上できる。
【００３１】
また、本発明では、非接触型ＩＣカードの装着を検出するまでの間は、給電コイルに周期的に交番電流を流すようにしているため、非接触型ＩＣカードの非装着時に消費される電力を抑制することができる。また、給電コイルの通電時に起動時データを正しく受信できなかったとしても、次の通電時に起動時データを受信することができるので、非接触型ＩＣカードの装着を確実に検出することができる。
【００３２】
次に、非接触型ＩＣカードの装着を検出した後は、給電手段による給電動作を周期的な通常給電動作から連続給電動作に切り替えて、データ通信を行なうようにされているため、非接触型ＩＣカードとのデータ通信を確実に行なうことができる。また、データ通信完了後は、所定時間経過後に、給電手段による給電動作を連続給電動作から通常給電動作に切り替えるため、既にデータ通信が完了した非接触型ＩＣカードを再度検出してしまうのを防止できる。
【００３３】
なお、本発明では、消費電力低減のために、非接触型ＩＣカードの装着を検出するまでの間は、給電コイルの通電を周期的に行なうようにしているため、給電コイルの非通電時に非接触型ＩＣカードが装着された場合には、給電コイルの通電が再開されるまでの間、非接触型ＩＣカードの装着を検出することができず、非接触型ＩＣカードとのデータ通信が遅れることになるが、こうした非接触型ＩＣカードの検出遅れは、給電コイルの通電周期を短くすれば短くできるため、実用上大きな問題にはならない。
【００３４】
次に、請求項３に記載のリード／ライト装置においては、給電動作復帰手段が、通信手段によるデータ通信完了後、非接触型ＩＣカードに対して所定の呼出信号を送信し、この呼び出し信号に対する応答信号が受信されなくなってから、給電手段による給電コイルの給電動作を通常給電に切り替える。
【００３５】
つまり、本発明（請求項３）では、データ通信完了後の経過時間から、データ通信が完了した非接触型ＩＣカードが装置から取り外されたことを判断して、給電手段の給電動作を連続給電動作から通常給電動作に切り替えるのではなく、データ通信完了後も、非接触型ＩＣカードに対して所定の呼び出し信号を送信して、その呼び出し信号に対する応答信号が受信できている間は、非接触型ＩＣカードが当該装置に装着していると判断して、給電動作の切り替えを行なわず、呼び出し信号に対する応答信号が受信できなくなった時点で、非接触型ＩＣカードが当該装置から取り外されたと判断して、給電手段の給電動作を通常給電動作に切り替えるようにしている。
【００３６】
このため、本発明（請求項３）によれば、請求項１、２に記載の装置におけるデータ通信完了後の給電手段の給電動作の切り替えを、非接触型ＩＣカードが当該装置から取り外されたことを確認してから実行することができ、特定の非接触型ＩＣカードに対する２重通信をより確実に防止することができるようになる。
【００３７】
【実施例】
以下に、本発明の実施例を図面と共に説明する。
なお、以下の説明において、図１は本発明が適用された実施例のカードリーダ１０の構造を表わす説明図であり、（ａ）はその平面図、（ｂ）はそのＡ−Ａ断面図である。また、図２は、本実施例のカードリーダ１０及びこれに装着されるコンタクトレスＩＣカード２の回路構成を表わすブロック図である。
【００３８】
まず本実施例のカードリーダ１０は、カード使用者個人の識別コードや各種付加情報が格納されたコンタクトレスＩＣカード２から所定の情報を読み出し、その読み出した情報を、外部装置（例えば、特定施設への入室管理を行なう入室管理装置等）に出力するためのものであり、図１に示す如く、その外壁には、コンタクトレスＩＣカード２から情報を読み出すためのカード当接面Ｍが形成されている。
【００３９】
そして、このカード当接面Ｍは、コンタクトレスＩＣカード２に形成された図２に示す通信用のプレート２Ｐ１〜２Ｐ４及び受電コイル２Ｌと対応する位置に、通信用のプレート１０Ｐ１〜１０Ｐ４及び給電コイル１０Ｌが配設されたプリント基板（以下、カード基板という）１２により形成されている。なお、通信用のプレート１０Ｐ１〜１０Ｐ４及び給電コイル１０Ｌは、カード基板１２のプリントパターンによってカード基板１２に形成されている。また、カード基板１２の外部に露出する部分（つまりカード当接面Ｍ）には、保護膜が積層されている。
【００４０】
すなわち、コンタクトレスＩＣカード２は、図２に示す如く、静電結合により外部装置との間でデータ通信を行なうための通信用のプレート２Ｐ１〜２Ｐ４，この４個のプレート２Ｐ１〜２Ｐ４のうち、受信用のプレート２Ｐ１，２Ｐ２を介して外部装置からの送信データを読み取ると共に、送信用のプレート２Ｐ３，２Ｐ４を介して外部装置に送信データを送信する通信回路４、電磁結合により外部装置から電源供給を受ける受電コイル２Ｌ、受電コイル２Ｌに誘起された電圧により内部回路に電源供給を行なう電源回路６、及び、上述の各種情報が格納された  Ｅ２ＰＲＯＭを内蔵し、通信回路４及びプレート２Ｐ１〜２Ｐ４を介して外部装置との間でデータ通信を行なう１チップのマイクロコンピュータ８から構成されており、通信用のプレート２Ｐ１〜２Ｐ４及び受電コイル２Ｌは、予め設定された所定の位置に形成されているため、カードリーダ１０において、片面がコンタクトレスＩＣカード２の当接面Ｍとなるカード基板１２には、コンタクトレスＩＣカード２が当接された際にコンタクトレスＩＣカード２の受電コイル２Ｌ及びプレート２Ｐ１〜２Ｐ４と対向する所定位置に、受電コイル２Ｌとの電磁結合によりコンタクトレスＩＣカード２に給電を行なうための給電コイル１０Ｌ、及び各プレート２Ｐ１〜２Ｐ４との静電結合によりコンタクトレスＩＣカード２とデータ通信を行なうためのプレート１０Ｐ１〜１０Ｐ４が、それぞれ形成されているのである。
【００４１】
次に、上記カード基板１２を含む当該カードリーダ１０の機能部品は、全て、ロアーケース３０とアッパーケース３２とからなるハウジング内に収納されている。そしてロアーケース３０及びアッパーケース３２は合成樹脂により形成されており、ロアーケース３０は、金属製の取付けプレート３４を介して、壁に直接固定できるようにされている。
【００４２】
また、アッパーケース３２は、取付けプレート３４を介してロアーケース３０を壁に取り付け、ロアーケース３０に固定された機能部品と外部装置との電気配線や動作確認等を行なった後、ロアーケース３０の上から被せることによって、ロアーケース３０と一体化され、内部の機能部品をほこりや水等から保護する。
【００４３】
すなわち、本実施例のカードリーダ１０には、図２に示す如く、機能部品として、カード基板１２に形成された通信用のプレート１０Ｐ１〜１０Ｐ４及び給電コイル１０Ｌの他に、これら４個のプレート１０Ｐ１〜１０Ｐ４のうち、送信用のプレート１０Ｐ１，１０Ｐ２を介してコンタクトレスＩＣカード２に送信データを送信すると共に、受信用のプレート１０Ｐ３，１０Ｐ４を介してコンタクトレスＩＣカード２からの送信データを読み取る通信回路１４、給電コイル１０Ｌの電流経路を周期的に導通・遮断することにより給電コイル１０Ｌに交番電流を流すスイッチング用のトランジスタＴＲ１、当該カードリーダ１０の動作状態を表示するための表示パネル１６、表示パネル１６を駆動するための表示回路１８、入室管理装置等の外部装置にコンタクトレスＩＣカード２から読み取った情報を送信したり、外部装置からの指令信号を入力するためのインタフェース２０、給電コイル１０Ｌの通電制御，コンタクトレスＩＣカード２とのデータ通信，表示パネル１６の表示制御，外部装置とのデータ通信等、各種制御を実行するＣＰＵ，ＲＯＭ，ＲＡＭ等からなるマイクロコンピュータ２２、及び、商用電源を受けて、上記各部に電源供給を行なうための直流定電圧（例えば、ＤＣ５Ｖ）を生成する電源回路２４が備えられているが、これら各部は、カード基板１２又はメイン基板（プリント基板）２６に組付けられて、ロアーケース３０に固定され、アッパーケース３２は、これら各基板１２，２６が固定されたロアーケース３０の上から被せることにより、上記各機能部品を保護するようにされている。
【００４４】
ここで、メイン基板２６は、ロアーケース３０の底部に形成された複数の固定台３０ａにねじ止め固定されており、カード基板１２は、ロアーケース３０の左右にメイン基板２６を挟むようにそれぞれ立設され、端部にカード基板載置用の鍔部３０ｂが形成された一対の固定枠３０ｃに、ねじ止め固定されている。
【００４５】
そして、上記各機能部品のうち、通信用のプレート１０Ｐ１〜１０Ｐ４及び給電コイル１０Ｌに直接接続される、通信回路１４及びトランジスタＴＲ１は、カード基板１２に組み付けられている。また、表示パネル１６とこれを駆動する表示回路１８も、カード基板１２に組み付けられ、表示パネル１６の表示状態をアッパーケース３２に形成された後述の窓部３２ａから確認できるようにされている。一方、インタフェース２０，マイクロコンピュータ２２，及び電源回路２４は、カードリーダ１０の中枢部であり、外部装置との配線も必要であることから、ロアーケース３０の底部の固定台３０ａに固定されるメイン基板２６に取り付けられている。
【００４６】
次に、アッパーケース３２は、ロアーケース３０と対向する壁面が断面「く」の字状となるように形成されており、カード基板１２を固定する固定枠３０ｃは、鍔部３０ｂに固定したカード基板１２の一端がアッパーケース３２の頂点に位置し、しかもカード基板１２の表面がアッパーケース３２の内壁に当接するよう、鍔部３０ｂがロアーケース３０の底部に対して傾斜するように形成されている。
【００４７】
そして、アッパーケース３２のカード基板１２との対向面には、カード基板１２の一部を外部に露出させて、その部分をコンタクトレスＩＣカード２が当接されるカード当接面Ｍとするための開口部３２ｂ、及び、カード基板１２に固定された表示パネル１６の表示内容を外部から確認できるようにするための窓部３２ａが、それぞれ形成されている。
【００４８】
なお、開口部３２ｂは、コンタクトレスＩＣカード２をカード当接面Ｍ上で位置決めして、カード基板１２に形成されたプレート１０Ｐ１〜１０Ｐ４及び給電コイル１０Ｌと、カード当接面Ｍ上に配設されたコンタクトレスＩＣカード２のプレート２Ｐ１〜２Ｐ４及び受電コイル２Ｌとを、確実に対向させることができるようにするために、コンタクトレスＩＣカード２の大きさに合わせて形成されており、しかもその左右両端縁は、アッパーケース３２の外壁に向って開口が大きくなるテーパ状に形成されている。つまり、本実施例では、アッパーケース３２に形成された開口部３２ｂの左右及び上部端縁を、コンタクトレスＩＣカード２の位置決め用のガイド部とし、更にその左右端縁をテーパ状に形成することにより、コンタクトレスＩＣカード２をカード当接面Ｍに当接し易くしているのである。
【００４９】
また、アッパーケース３２は、ロアーケース３０との対向面が断面「く」の字状となるように形成されているが、これは、開口部３２ｂ、延いてはカード当接面Ｍを、アッパーケース３２の頂点部分から、ロアーケース３０の底部に対して所定角度で傾斜した上下の傾斜面のうちの一方（上側）の傾斜面に形成して、図３に示す如く、コンタクトレスＩＣカード２の一端を手で持ちながら、コンタクトレスＩＣカード２をカード当接面Ｍに当接させる際に、アッパーケース３２が手に当たることがないようにするためである。
【００５０】
また、表示パネル１６は、カードリーダ１０の動作状態を表示するためのものであるが、本実施例では、カードリーダ１０が動作可能であること、コンタクトレスＩＣカード２を検出したこと、コンタクトレスＩＣカード２とのデータ通信中であること、コンタクトレスＩＣカード２とのデータ通信が終了したこと、等を表わす、動作状態表示用の複数のＬＥＤから構成されており、窓部３２ａには、これら各ＬＥＤとの対向位置に点灯状態確認用の孔が穿設されると共に、各孔の近傍にＬＥＤの表示内容が記載されたラベルが貼着される。
【００５１】
次に、上記のように構成された本実施例のカードリーダ１０において、カード当接面ＭにコンタクトレスＩＣカード２が当接されたことを検出して、コンタクトレスＩＣカード２とデータ通信を行なうために、マイクロコンピュータ２２にて実行される制御処理を、図４に示すフローチャートに沿って説明する。
【００５２】
この処理は、カードリーダ１０の電源投入後、マイクロコンピュータ２２にて繰返し実行される処理であり、図４に示す如く、まずステップ２１０にて、トランジスタＴＲ１を所定周期でＯＮ・ＯＦＦさせるための駆動パルスを発生する図示しない発振回路を起動することにより、カード電源をＯＮし、続くステップ２２０にて、カード電源ＯＮ後の経過時間を計時するために、タイマＡを起動する。
【００５３】
この結果、給電コイル１０ＬにコンタクトレスＩＣカード２の給電用の交番電流が流れるようになり、カード当接面ＭにコンタクトレスＩＣカード２が装着されると、コンタクトレスＩＣカード２の受電コイル２Ｌに電圧が誘起され、コンタクトレスＩＣカード２が起動される。また、コンタクトレスＩＣカード２は、起動時に、自己のカード種別を表わす識別コード（図５に斜線で示すコード）を発生する。
【００５４】
そこで次に、ステップ２３０では、コンタクトレスＩＣカード２が起動時に発生する識別コードが、受信用のプレート１０Ｐ３，１０Ｐ４及び通信回路１４を介して受信されたか否かを判断することにより、カード当接面ＭにコンタクトレスＩＣカード２が装着されたか否かを判断し、識別コードが受信されていなければ、ステップ２４０に移行する。
【００５５】
ステップ２４０では、ステップ２２０にてカード電源をＯＮした直後に起動したタイマＡの計時時間が、所定時間Ｔａ（例えば、１００ｍｓｅｃ．）に達しているか否かを判断し、所定時間Ｔａに達していなければ、再度ステップ２３０に移行し、所定時間Ｔａに達していれば、ステップ２５０にて、一定時間Ｔｃ（例えば１００ｍｓｅｃ．）の間、カード電源をＯＦＦし、再度ステップ２１０に移行する。つまり、カード電源をＯＮした後、所定時間Ｔａ経過するまでの間に識別コードが受信されなければ、一定時間Ｔｃだけカード電源をＯＦＦし、その後再びステップ２１０にてカード電源をＯＮすることにより、図５に示すように、カード電源を周期的にＯＮ／ＯＦＦさせるのである。なお、本実施例においては、上述したステップ２１０〜ステップ２５０の一連の処理が、本発明の給電手段に相当し、その一連の処理の内のステップ２３０の処理が、本発明のカード検出手段に相当する。
【００５６】
一方、ステップ２３０にて、コンタクトレスＩＣカード２からの識別コードを受信したと判断すると、つまりカード当接面ＭにコンタクトレスＩＣカード２が装着されたことを検出すると、ステップ２６０に移行して、コンタクトレスＩＣカード２から所定の情報を読み出すために予め設定されたコマンドをコンタクトレスＩＣカード２に送信する。そして、続くステップ２７０では、コマンド送信後の時間を計時するために、マイクロコンピュータ２２に内蔵されたタイマＢを起動する。
【００５７】
また次に、続くステップ２８０では、コマンドの送信に対応して、コンタクトレスＩＣカード２から所定のレスポンスがあったか否かを判断する。つまり、カード当接面ＭにコンタクトレスＩＣカード２が正確に装着されていれば、上記コマンドの送信に対応した、コンタクトレスＩＣカード２内のマイクロコンピュータが動作し、図５に示すように、コンタクトレスＩＣカード２側から所定の情報が送信されてくることから、ステップ２８０では、コンタクトレスＩＣカード２側からコマンドに対応した所定の情報が送信されてきたかどうかを判断するのである。
【００５８】
そして、このステップ２８０にて、コンタクトレスＩＣカード２からのレスポンスがないと判断されると、ステップ２９０に移行して、ステップ２７０で起動したタイマＢの計時時間が、予め設定された所定時間Ｔｂ（例えば、１ｓｅｃ．）に達しているか否かを判断し、所定時間Ｔｂに達していなければ、再度ステップ２８０に移行する。つまり、このステップ２８０及びステップ２９０では、コマンド送信後、所定時間Ｔｂ経過するまでの間、コンタクトレスＩＣカード２からのレスポンスを待つのである。
そして、ステップ２９０にて、タイマＢによる計時時間が所定時間Ｔｂに達したと判断されると、つまり、コマンド送信後、所定時間Ｔｂ経過するまでの間に、コンタクトレスＩＣカード２からレスポンスがなかった場合には、図５に示す如く、コンタクトレスＩＣカード２の再起動のために、ステップ２５０にて、カード電源を一定時間Ｔｃの間ＯＦＦした後、再度ステップ２１０に移行する。
【００５９】
一方、ステップ２８０にて、コンタクトレスＩＣカード２からのレスポンスがあったと判断されると、ステップ３００に移行して、コンタクトレスＩＣカード２からの受信データを、ＲＡＭ内に格納する。そして、続くステップ３１０にて、コンタクトレスＩＣカード２との通信完了後、使用者がコンタクトレスＩＣカード２をカード当接面Ｍから離すのに要すると考えられる一定時間Ｔｄ（例えば、２ｓｅｃ．）の間、カード電源をＯＦＦし、再度ステップ２１０に移行する。
つまり、コンタクトレスＩＣカード２からのカード情報の読取りが完了した後（すなわちステップ３００の処理完了後）、そのままステップ２１０或はステップ２５０に移行すると、使用者が読取り完了後のコンタクトレスＩＣカード２をカード当接面Ｍから離す前に、次のカード電源の立ち上がりにより、このカードを再び検出して、カード情報の読取りを行なうことがあるので、本実施例では、カード情報を読み取った後は、図５に示す如く、使用者がコンタクトレスＩＣカード２をカード当接面Ｍから離すのに充分な時間Ｔｄだけ、カード電源をＯＦＦし、その後ステップ２１０に移行して、次のカードの検出動作を開始することにより、同一カードからカード情報を重複して読込むのを防止しているのである。なお、本実施例では、ステップ２３０にてカード当接面ＭにコンタクトレスＩＣカード２が装着されたことが検出された際に実行されるステップ２６０〜３００の一連の処理が、本発明の給電動作切替手段に相当し、その内のステップ２６０、２８０及び３００の処理が、本発明の通信手段に相当し、ステップ３００にて受信データを格納した後に実行されるステップ３１０の処理が、本発明の給電動作復帰手段に相当する。
【００６０】
以上説明したように、本実施例のカードリーダ１０においては、カード基板１２の一部をアッパーケース３２に形成された開口部３２ｂから外部に露出させ、その露出した部分をカード当接面Ｍとして、その内部に、コンタクトレスＩＣカード２のプレート２Ｐ１〜２Ｐ４及び受電コイル２Ｌと対応した、通信用のプレート１０Ｐ１〜１０Ｐ４及び給電コイル１０Ｌを形成している。このため、本実施例のカードリーダ１０にコンタクトレスＩＣカード２の情報を読み取らせる際には、図３に示したように、コンタクトレスＩＣカード２の端部（本実施例では長手方向の端部）を手で持ち、カード面をカード当接面Ｍに当接させればよい。
【００６１】
そして、本実施例のカードリーダ１０においては、従来装置のように、コンタクトレスＩＣカード２を挿入する挿入口やその挿入口から内部にカードを取り込むための機構部品を設ける必要がないので、ほこりや水等が装置内部に入るといったことはなく、カード情報の読取りを周囲環境に影響されずに良好に行なうことができるようになる。また、カード当接面Ｍにほこりがたまったり、ガム等の異物が付着して、データの読み書きが正常にできなくなったとしても、ほこりや異物を、装置を分解することなく簡単に除去することができるため、装置の補修作業も簡単に行なうことができる。
【００６２】
また、カード当接面ＭにコンタクトレスＩＣカード２を当接させる際には、アッパーケース３２に形成された開口部３２ｂの左右及び上部端縁がガイド部となるので、コンタクトレスＩＣカード２の位置決めを容易に行なうことができ、しかも、開口部３２ｂの左右端縁はテーパ状に形成されているため、コンタクトレスＩＣカード２をカード当接面Ｍに当接する際の操作性を向上できる。
【００６３】
また更に、アッパーケース３２は、ロアーケース３０との対向面が断面「く」の字状となるように形成されており、その頂点部分から一方の傾斜面に沿ってカード当接面Ｍが形成されているので、コンタクトレスＩＣカード２をカード当接面Ｍに当接する際に、アッパーケース３２が邪魔になることはなく、この構成によっても操作性を向上できる。
【００６４】
一方、本実施例のカードリーダ１０においては、カード当接面Ｍに当接されたコンタクトレスＩＣカード２からカード情報を読み取るに当たって、カード当接面ＭにコンタクトレスＩＣカード２が当接されたことを、コンタクトレスＩＣカード２が起動時に発生する識別コードを受信したか否かによって検出するようにしているため、従来装置のように、光センサやマイクロスイッチ等の特別な検出機構を設ける必要はなく、装置構成を簡素化することができる。
【００６５】
またこのように特別な検出機構を設ける必要がないので、検出機構にほこりや水等がかかって、非接触型ＩＣカードの検出不良を招くといったことはなく、コンタクトレスＩＣカード２からのカード情報の読取りを正確に行なうことができ、装置の信頼性を向上することができる。
【００７６】
また更に、図４に示した制御処理では、コンタクトレスＩＣカード２を検出するまでの間は、カード電源を周期的にＯＮするようにしているため、コンタクトレスＩＣカード２の非装着時の消費電力量を低減することができる。また、コンタクトレスＩＣカード２を検出して、ステップ３００の処理にてカード情報の読取りが完了するか、或はステップ２９０の処理にて通信異常が判定されるまでの間は、カード電源をＯＦＦせず、給電コイル１０Ｌに連続的に交番電流を流すため、コンタクトレスＩＣカード２との通信途中でコンタクトレスＩＣカード２の動作が停止するようなことはなく、カード情報の読取りを確実に行なうことができる。また、カード情報の読取り後は、使用者がコンタクトレスＩＣカード２をカード当接面Ｍから離すのに充分な時間Ｔｄ、カード電源をＯＦＦするようにしているため、同一カードからのカード情報の重複読込みを防止できる。また更に、コンタクトレスＩＣカード２のカード当接面Ｍへの当接直後に、コンタクトレスＩＣカード２から出力された識別コードを正常に受信できなかったとしても、カード電源の次のＯＮタイミングで識別コードを再度受信することができるようになるため、コンタクトレスＩＣカード２がカード当接面Ｍに当接されているにもかかわらず、コンタクトレスＩＣカード２が検出されず、使用者に不信感を持たせる、といったことも防止できる。
【００７７】
なお、図４に示した制御処理では、カード情報の重複読込みを防止するために、ステップ３００にてコンタクトレスＩＣカード２から読取ったカード情報（受信データ）をＲＡＭに格納した後は、ステップ３１０にて、一定時間Ｔｄの間、カード電源をＯＦＦするようにしたが、カード情報の重複読込みをより確実に防止するには、上記ステップ３１０の処理を、図６に示すカード除去判定処理３１０′に変更すればよい。
【００７８】
すなわち、図６に示すカード除去判定処理３１０′では、まずステップ４１０にて、コンタクトレスＩＣカード２に対して、所定の情報を送信させるためのダミーコマンドを送信し、続くステップ４２０にて、このダミーコマンド送信後の時間を計時するためにタイマＸを起動する。
【００７９】
そして、ステップ４３０にて、ダミーコマンドの送信に対応して、コンタクトレスＩＣカード２から所定のレスポンスがあったか否かを判断すると共に、レスポンスがなければステップ４４０にて、ステップ４２０で起動したタイマＸの計時時間が、予め設定された所定時間Ｔｘ（例えば、１００ｍｓｅｃ．）に達しているか否かを判断し、所定時間Ｔｘに達していなければ、再度ステップ４３０に移行する、といった手順で、ダミーコマンド送信後、所定時間Ｔｘ経過するまでの間に、コンタクトレスＩＣカード２からのレスポンスがあったか否かを判断する。
【００８０】
そして、ステップ４３０にて、所定時間Ｔｘ経過するまでの間に、ダミーコマンドに対するレスポンスがあったと判断されると、ステップ４１０に移行して、ステップ４１０以降の処理を再度実行する。また、ステップ４４０にて、ダミーコマンドに対するレスポンスがない状態が所定時間Ｔｘ継続したと判断されると、カード当接面ＭからコンタクトレスＩＣカード２が取り除かれたと判断して、ステップ４５０に移行し、上記ステップ２５０と同様、一定時間Ｔｃ、カード電源をＯＦＦする処理を行なう。
【００８１】
このように、カード除去判定処理３１０′では、図７に示す如く、コンタクトレスＩＣカード２の検出後、コマンドを送信して、コンタクトレスＩＣカード２からカード情報を読込み、ＲＡＭ内に格納した後も、ダミーコマンドを送信することにより、コンタクトレスＩＣカード２からのレスポンスがあったか否かを判断し、ダミーコマンド送信後、一定時間Ｔｘ経過してもコンタクトレスＩＣカード２からのレスポンスがない場合に、カード電源を周期的にＯＮ・ＯＦＦさせる通常制御に復帰するようにしている。
【００８２】
従って、図４のステップ３１０の代りに、図６に示したカード除去判定処理３１０′を実行するようにすれば、コンタクトレスＩＣカード２からカード情報を一旦読み取った後、そのカードが長時間カード当接面Ｍに当接されていても、そのカードを再度起動してしまうといったことはなく、同一カードからのカード情報の重複読込みを、より確実に防止することができるようになる。
【００８３】
次に、上記実施例では、コンタクトレスＩＣカード２からカード情報を読出すためのカードリーダ１０について説明したが、本発明は、カード情報の読出しだけでなく、コンタクトレスＩＣカード２への情報の書込みも行なうカードリーダ・ライタであっても、またコンタクトレスＩＣカード２への情報の書込みのみを行なうカードライタであっても適用できる。
【００８４】
そして、このようにコンタクトレスＩＣカード２への情報の書込みを行なう装置にあっては、上記実施例のように、装置の外壁にカード当接面Ｍを設けただけでは、比較的時間のかかる情報の書込みの際にも、コンタクトレスＩＣカード２を手で持ち続ける必要があるため、不便である。
【００８５】
従って、このようにコンタクトレスＩＣカード２への情報の書込みを行なう装置、或は情報の読み出しのみを行なう装置にあっても、その読み出し時間が長くなるような装置においては、カード当接面Ｍに装着されたコンタクトレスＩＣカード２を保持するための保持手段を設けることが望ましい。そして、このような保持手段としては、例えば、図８に示す如く、カード当接面Ｍに配設されたコンタクトレスＩＣカード２を、その上面から付勢するための板ばね４０を設けることにより簡単に実現できる。
【００８６】
つまり、図８に示す如く、アッパーケース３２のコンタクトレスＩＣカード２の端縁が当接される部分に、板ばね４０を設け、図に矢印で示すように、この板ばね４０とカード当接面Ｍとの間にコンタクトレスＩＣカード２を手で差し込むことにより、コンタクトレスＩＣカード２をカード当接面Ｍ上に配設するようにすれば、その後、手を離しても、コンタクトレスＩＣカード２は板ばね４０により、カード当接面Ｍ上に保持されるため、カード装着時の操作性をより向上することができるようになるのである。
【００８７】
また、上記実施例では、アッパーケース３２の開口部３２ｂの左右両端をテーパ状に形成することにより、コンタクトレスＩＣカード２をカード当接面Ｍに当接する際の操作性を改善しているが、コンタクトレスＩＣカード２は、薄い板状であるため反り等の変形が生じ易く、カードに反り等の変形が生じている場合には、カード当接面Ｍにカード面を密着させることができず、データ通信を良好に行なえなくなることがある。
【００８８】
そこで、こうした問題を解決するために、例えば、図９に示す如く、コンタクトレスＩＣカード２の先端が当接される、アッパーケース３２の開口部３２ｂの上部端縁５０に、アッパーケース３２の外壁から内壁に向って開口が大きくなるように、逆テーパを形成するとか、或は図１０に示す如く、コンタクトレスＩＣカード２のガイド部となる、アッパーケース３２の開口部３２ｂの左右及び上部端縁に、アッパーケース３２の外壁側より内壁側の開口が大きくなるように段差６０を設けるようにしてもよい。
【００８９】
つまり、図９に示したように、アッパーケース３２の開口部３２ｂの上部端縁５０に逆テーパを形成した場合には、コンタクトレスＩＣカード２の先端をそのテーパ部に係合させ、図に矢印で示す如く、コンタクトレスＩＣカード２の他端をカード当接面Ｍ側に付勢すれば、コンタクトレスＩＣカード２が多少変形していても、その形状を矯正しながらカード面をカード当接面Ｍに当接させることができるようになり、データ通信を良好に行なうことができるようになる。
【００９０】
また、図１０に示したように、コンタクトレスＩＣカード２のガイド部となる、アッパーケース３２の開口部３２ｂの左右及び上部端縁に段差６０を設ければ、その部分がコンタクトレスＩＣカード２の挿入用の溝となるため、この溝に沿ってコンタクトレスＩＣカード２を挿入すれば、コンタクトレスＩＣカード２のカード面を、カード形状を矯正しながら、カード当接面Ｍにより確実に当接させることができるようになる。
【００９１】
なお、図８〜図１０において、（ａ）は、カードリーダ、カードリーダ・ライタ、又はカードライタの、カード当接面Ｍ付近をカード当接面Ｍに略直交する方向から見た状態を表わし、（ｂ）は、そのカード当接面Ｍ付近をカード当接面Ｍの面方向から見た状態を表わし、（ｃ）は、（ａ）におけるＡ−Ａ断面を表わしている。
【００９２】
また次に、上記実施例では、コンタクトレスＩＣカード２の長手方向の一端を手で持ちながら、コンタクトレスＩＣカード２をカード当接面Ｍに当接させる縦長タイプのカードリーダについて説明したが、例えば図１１に示す如く、カード当接面Ｍの横幅を、コンタクトレスＩＣカード２の長手方向の長さと一致させることにより、コンタクトレスＩＣカード２の短手方向の端部を手で持ちながら、コンタクトレスＩＣカード２をカード当接面Ｍに当接させることができるようにしてもよい。そして、この場合には、装置を横長に設置して使用することができるので、壁に掛けて使用する場合に、上下スペースのない場所への設置を容易に行なうことができるようになる。
【００９３】
また、一般に、カードを収納しておくためのカードホルダは、カードを短手方向に挿入するようになっているので、図１１に示したように、コンタクトレスＩＣカード２をその短手方向の端部を手で持ち、カード当接面Ｍに当接できるようにすれば、コンタクトレスＩＣカード２をカードホルダから取り出して、カード当接面Ｍに当接させる際に、コンタクトレスＩＣカード２を持ち変える必要がなく、操作性を向上することができる。
【００９４】
なお、図１１において、（ａ）は横長タイプのカードリーダの平面図、（ｂ）はその一部破断側面図である。
以上、本発明の実施例として、外壁にカード当接面Ｍを形成することにより、従来装置からカード挿入口を除去した装置について説明したが、図１２（ａ）に示す如く、カード挿入口７０が縦方向に形成された装置であっても、また図１２（ｂ）に示す如く、カード挿入口７０が横方向に形成された装置であっても、カード挿入口７０の下方に、カード挿入口７０から当該装置の外壁に至る切欠き７２を形成しておけば、カード挿入口７０にほこりや水等がかかった場合に、切欠き７２を通ってそのまま下方に排出されることにため、カード挿入口７０にたまったほこりや水が装置内部に入り込み、コンタクトレスＩＣカード２とのデータ通信（つまりカード情報の読み書き）に異常が生じる、といったことを防止できる。
【００９５】
従って、このようにカード挿入口７０を備えた装置にあっては、そのカード挿入口７０に切欠き７２を設けることによって、カード挿入口を除去した上記実施例と同様、カード情報の読み書きを、周囲環境に影響されずに良好に行なうことができるようになる。また、カード挿入口７０にガム等の異物が押し込まれても、棒材をカード挿入口７０に挿入して切欠き７２側に移動させることにより、押し込まれた異物を切欠き７２を通して簡単に除去することができるようになる。
【図面の簡単な説明】
【図１】実施例のカードリーダ全体の構造を表わす説明図である。
【図２】実施例のカードリーダ及びこれに装着されるコンタクトレスＩＣカードの回路構成を表わすブロック図である。
【図３】実施例のカードリーダへのコンタクトレスＩＣカードの装着作業を説明する説明図である。
【図４】実施例のカードリーダにおいてカード情報読取りのために実行される制御処理を表わすフローチャートである。
【図５】図４の制御処理によるカード−リーダ間の通信手順を表わすタイムチャートである。
【図６】実施例のカード除去判定処理を表わすフローチャートである。
【図７】図６のカード除去判定処理によるカード−リーダ間の通信手順を表わすタイムチャートである。
【図８】コンタクトレスＩＣカード保持用の板ばねを備えた装置のカード当接面付近の構成を表わす説明図である。
【図９】ガイド部にカード形状矯正用の逆テーパを形成した装置のカード当接面付近の構成を表わす説明図である。
【図１０】ガイド部にカード案内用の溝を形成した装置のカード当接面付近の構成を表わす説明図である。
【図１１】横長タイプのカードリーダの構成を表わす説明図である。
【図１２】カード挿入口を備えた装置の一例を表わす説明図である。
【図１３】横長タイプのカードリーダの構成を表わす説明図である。
【図１４】カード挿入口を備えた装置の一例を表わす説明図である。
【符号の説明】
２…コンタクトレスＩＣカード、２Ｌ…受電コイル、２Ｐ１〜２Ｐ４…プレート、４…通信回路、６…電源回路、８…マイクロコンピュータ、１０…カードリーダ、１０Ｐ１〜１０Ｐ４…プレート、１０Ｌ…給電コイル、１２…カード基板、１４…通信回路、１６…表示パネル、１８…表示回路、２０…インタフェース、２２…マイクロコンピュータ、２４…電源回路、２６…メイン基板、３０…ロアーケース、３２…アッパーケース、３２ｂ…開口部、Ｍ…カード当接面、７０…カード挿入口、７２…切欠き。
【図１】
0003546464.tif 000002
【図２】
0003546464.tif 000003
【図３】
0003546464.tif 000004
【図４】
0003546464.tif 000005
【図５】
0003546464.tif 000006
【図６】
0003546464.tif 000007
【図７】
0003546464.tif 000008
【図８】
0003546464.tif 000009
【図９】
0003546464.tif 000010
【図１０】
0003546464.tif 000011
【図１１】
0003546464.tif 000012
【図１２】
0003546464.tif 000013
【図１３】
0003546464.tif 000014
【図１４】
0003546464.tif 000015